(57)【特許請求の範囲】
【請求項１】
着脱自在かつサイズの組み合わせが柔軟な建築装飾パネル乾燥壁掛け構造体であって、
壁面に固定される縦のキール・フレームと、
同縦のキール・フレーム上の取付溝内に設けられるとともに２つの対向する湾曲した角部を有する矩形状の横断方向骨格ナットと、
前記縦のキール・フレームの外側に配置される横断方向骨格と、
横断方向骨格ネジであって、同横断方向骨格ネジは、前記横断方向骨格を横断した後に前記横断方向骨格ナットでネジ留めされ、前記横断方向骨格ナットの湾曲した角部は、前記縦のキール・フレームの前記取付溝の側壁に係合する、横断方向骨格ネジと、
建築装飾パネル・コンポーネントの背面に配置される連結アセンブリと、を備え、
同連結アセンブリは、前記横断方向骨格に設けられる横断方向骨格取付溝に挿入され、これにより前記建築装飾パネル・コンポーネントは、前記横断方向骨格に掛けられ、
前記建築装飾パネル・コンポーネントは、建築装飾パネル、同建築装飾パネルに固着される複合材料バック層、および同複合材料バック層上に固定される前記連結アセンブリを含み、
前記複合材料バック層は取付溝を備え、同取付溝は２つの平行な取付面を備え、２つの平行な取付面を有する前記連結アセンブリは、前記取付溝にきつく挿入され、これにより、前記連結アセンブリは、前記複合材料バック層上に固定されることを特徴とする建築装飾パネル乾燥壁掛け構造体。
【請求項２】
前記横断方向骨格取付溝は、外方に開放される溝であり、前記連結アセンブリが前記横断方向骨格取付溝に挿入された後に、前記連結アセンブリの表面上の摩擦面は、前記横断方向骨格取付溝の側壁上の摩擦面に対して堅固に係合することを特徴とする請求項１に記載の着脱自在かつサイズの組み合わせが柔軟な建築装飾パネル乾燥壁掛け構造体。
【請求項３】
前記連結アセンブリの表面上の前記摩擦面、および前記横断方向骨格取付溝の前記側壁上の前記摩擦面の両者は、横断方向ストリップ状ネジ山形態構造体であることを特徴とする請求項２に記載の着脱自在かつサイズの組み合わせが柔軟な建築装飾パネル乾燥壁掛け構造体。
【請求項４】
前記複合材料バック層は、２つのシュートを備え、前記連結アセンブリの２つの取付板は、前記シュートにきつく挿入され、これにより、前記連結アセンブリは、前記複合材料バック層上に固定されることを特徴とする請求項１に記載の着脱自在かつサイズの組み合わせが柔軟な建築装飾パネル乾燥壁掛け構造体。
【請求項５】
前記建築装飾パネルに連結される前記連結アセンブリの一部、および前記横断方向骨格取付溝に連結される前記連結アセンブリの一部は、挾持ストリップおよび挾持溝の形態で相対摺動するように連結されることを特徴とする請求項１に記載の着脱自在かつサイズの組み合わせが柔軟な建築装飾パネル乾燥壁掛け構造体。
【請求項６】
前記建築装飾パネルに連結される前記連結アセンブリの一部、および前記横断方向骨格取付溝に連結される前記連結アセンブリの一部は、回転軸の形態で相対回転するように連結されることを特徴とする請求項１に記載の着脱自在かつサイズの組み合わせが柔軟な建築装飾パネル乾燥壁掛け構造体。
【請求項７】
２つの平行な縦のキール・フレーム取付溝が、前記縦のキール・フレーム上に設けられることを特徴とする請求項１に記載の着脱自在かつサイズの組み合わせが柔軟な建築装飾パネル乾燥壁掛け構造体。
【請求項８】
前記横断方向骨格ネジは、前記横断方向骨格取付溝の底部から横断し、これにより前記横断方向骨格ナットでネジ留めされることを特徴とする請求項２に記載の着脱自在かつサイズの組み合わせが柔軟な建築装飾パネル乾燥壁掛け構造体。
【発明の詳細な説明】
【技術分野】
【０００１】
本発明は建築装飾パネル乾燥壁掛け構造体に関する。本発明は、特に着脱自在かつサイズの組み合わせが柔軟な建築装飾パネル乾燥壁掛け構造体に関する。
【背景技術】
【０００２】
建築装飾パネルは、石、木、耐火シャッタ、ポリエチレン材料、アルミニウム材料、セラミック・タイル、ガラス、ガラス製品、金属および非金属防火建築材料並びに金属および非金属建築材料のような板状構造体、あるいは形状を有する構造体を示し、これは建物壁面の外側ファサード、内側ファサード、天井、および床などの表面に取り付けられる。建築装飾パネルを取り付けるための従来の方法は、ウェット貼設方法、貼設方法、および乾燥壁掛け方法を含む。従来のウェット貼設方法は、壁面上に建築装飾パネルを固着させるための接着剤としてセメントモルタルを使用する。しかしながら、建築装飾パネル自体の密度はより大きいため、より大きな質量比となるが、ウェット貼設方法は、セメントモルタルの接着力に主に依存する。セメントモルタルの接着力が不十分な場合、建築装飾パネルを容易に落下する。更に、セメントに含まれるアルカリ成分により、建築装飾パネルの表面上の塩分消失が生じる傾向にあるが、ウェット貼設された建築装飾パネルおよび壁本体は剛性を備えた連結部にあり、これにより、耐衝撃性が脆弱なものとなる。貼設方法は、壁面であって、壁面が高い平坦性および清潔性を備えることが要求される壁面上に建築装飾パネルを固着させる特別の建築装飾パネル接着剤を使用するが、これにより、使用される建築装飾パネルの面積および厚みは制限され、建築装飾パネルは衝撃を受けると容易に破損し、更に、建築装飾パネルの接着剤が建築装飾パネルの表面上に残り、建築装飾パネルの内部が接着剤の経時劣化により容易に緩くなり、これにより、表面が容易に落下するため、建築装飾パネルの劣化が進む。従来の乾燥壁掛け方法は、壁面に建築装飾パネルを直接掛けるか、あるいは金属製の壁掛け部品を使用して、建築装飾パネルを吊り下げて、立てかける。これにより、構造が複雑化され、建築装飾パネルの高い厚みが要求され（通常１５ｍｍも）、溝の形成の間に大きな損失を有し、更に、鋼製フレーム・キールの取り付けにより、構築物の荷重支持が高められる。これにより、工事が困難かつ高コストなものとなり、長い工事期間を要し、壁に取り付けられた後の取り外しが困難であり、建築装飾パネルを繰り返し利用することができない。
【発明の概要】
【発明が解決しようとする課題】
【０００３】
建築装飾パネルの取り付けが安全、単純、便利、迅速であり、環境に優しく、汚染がなく、コストが低減されることが理想的である。
【課題を解決するための手段】
【０００４】
本発明は、着脱自在かつサイズの組み合わせが柔軟である建築装飾パネル乾燥壁掛け構造体を提供する。本発明の課題は、先行技術の短所を解決することにあり、建築装飾パネルの取り付けを、安全、単純、便利、迅速なものとし、環境に優しく、汚染がなく、コストが低減されるものとする。
【０００５】
技術的問題を解決するために、本発明は以下のように技術的解決法を使用する。
着脱自在かつサイズの組み合わせが柔軟な建築装飾パネル乾燥壁掛け構造体は、壁面に固定される縦のキール・フレームと、同縦のキール・フレーム上の取付溝内に設けられるとともに２つの対向する湾曲した角部を有する矩形状の横断方向骨格ナットと、縦のキール・フレームの外側に配置される横断方向骨格と、横断方向骨格ネジであって、同横断方向骨格ネジは、横断方向骨格を横断した後に横断方向骨格ナットでネジ留めされ、横断方向骨格ナットの湾曲した角部は、縦のキール・フレーム取付溝の側壁に対して係合する、横断方向骨格ネジと、建築装飾パネル・コンポーネントの背面に配置される連結アセンブリとを備え、同連結アセンブリは、横断方向骨格に設けられる横断方向骨格取付溝に挿入され、これにより建築装飾パネル・コンポーネントは、横断方向骨格に掛けられる。
【０００６】
横断方向骨格取付溝は、外方に開放される溝であり、連結アセンブリが横断方向骨格取付溝に挿入された後に、連結アセンブリの表面上の摩擦面は、横断方向骨格取付溝の側壁上の摩擦面に対して堅固に係合する。
【０００７】
連結アセンブリの表面上の摩擦面、および横断方向骨格取付溝の側壁上の摩擦面の両者は、横断方向ストリップ状ネジ山形態構造体である。
建築装飾パネル・コンポーネントは建築装飾パネル、建築装飾パネルに固着した複合材料バック層、および複合材料バック層上に固定される連結アセンブリを備える。
【０００８】
複合材料バック層は２つのシュートを備え、連結アセンブリの２つの取付板がシュートにきつく挿入される。これにより、連結アセンブリは複合材料バック層上に固定される。
複合材料バック層は取付溝を備える。取付溝は、２つの平行な取付面を備え、連結アセンブリは取付溝にきつく挿入される。これにより、連結アセンブリは、複合材料バック層上に固定される。
【０００９】
建築装飾パネルに連結される連結アセンブリの一部、および横断方向骨格取付溝に連結される連結アセンブリの一部は、挾持ストリップおよび挾持溝の形態で相対摺動するように連結される。
【００１０】
建築装飾パネルに連結される連結アセンブリの一部、および横断方向骨格取付溝に連結される連結アセンブリの一部は、回転軸の形態で相対回転するように連結される。
２つの平行な縦のキール・フレーム取付溝は、縦のキール・フレーム上に設けられ、縦のキール・フレームの両側に取り付けられる横断方向骨格にそれぞれ対応する。
【００１１】
１つの溝タイプの縦のキール・フレーム取付溝が、補強のために縦のキール・フレームに更に設けられる。
横断方向骨格ネジは、横断方向骨格ナットでネジ留めされるように横断方向骨格取付溝の底部から横断する。
【００１２】
本発明は以下の効果を有する。
１．建築装飾パネルおよび複合材料裏打ちの複合体により、建築装飾パネルの利用率が改善され、損失が低減され、全体が軽量化される。また、一致する強度を備えるアルミニウム骨格を使用することにより、構造体の壁体の負荷支持が軽量化され、安全性および安定性が高められる。
【００１３】
２．床フレームとしてアルミニウム骨格を使用することにより、側壁面の平坦さに影響が及ぼされることがなく、また、建築装飾パネルが化学的接着剤によって汚染されることがない。
【００１４】
３．構造が単純であり、その構築および取付は便利かつ迅速であり、非専門の人員によって操作可能であり、これにより時間コストと人的コストが効果的に低減される。
４．取り外し可能な構造体により、建築装飾パネルを異なるスタイルのものに交換することができるのみならず、取り外した建築装飾パネルを繰り返し利用することができる。これにより、資源のリサイクルを実現でき、環境保護の概念に応じられる。本発明は、新規で、安全で、効果的で、低コストで、緑の取り付けプロセスを実施し、環境に優しく、経済的であり、様々な屋内および屋外の装飾に好適であり、広く使用される。
【００１５】
５．溝に固定用のネジを使用する構造体は、縦のキール・フレームおよび横断方向骨格を移動させるのに便利である。また、異なる寸法を備える建築装飾パネルは、組み合わせ後に乾燥壁掛けのために自由に選択される。
【００１６】
６．建築装飾パネル乾燥壁掛け構造体として本発明を使用することができるのみならず構造体壁面に様々な材料の乾燥壁掛け構造体として本発明を使用することができる。
【図面の簡単な説明】
【００１７】
【図１】本発明を示す構造図。
【図２】本発明の線Ａ−Ａにおける断面図。
【図３】図２の部分Ｃを示す部分拡大図。
【図４】横断方向骨格ナット６と縦のキール・フレーム取付溝との間の整合を示す概略図。
【図５−１】連結アセンブリの第１の例を示す側面図。
【図５−２】図５−１のＤ方向を示す図。
【図６−１】連結アセンブリの第２の例を示す側面図。
【図６−２】図６−１のＥ方向を示す図。
【図７−１】連結アセンブリの第３の例を示す側面図。
【図７−２】図７−１のＦ方向を示す図。
【図７−３】図７−１の線Ｇ−Ｇにおける断面図。
【図８−１】連結アセンブリの第４の例の第１の形態を示す側面図。
【図８−２】連結アセンブリの第４の例の第２の形態を示す側面図。
【図８−３】連結アセンブリの第４の例の第３の形態を示す側面図。
【発明を実施するための形態】
【００１８】
本発明は、図面および実施形態を参照して詳細に更に開示される。
もっとも一般的なスラブ・タイプの石板が、実施形態として以下に使用される。
図１に示すように、縦のキール・フレーム１はアルミニウム合金二重溝構造体である。すなわち、縦のキール・フレーム１には２つの並列な縦のキール・フレーム取付溝１１が設けられ、これらは、縦のキール・フレーム１の両側に取り付けられる横断方向骨格２に対応する。縦のキール・フレーム１の台および頂部は、ボルトおよびネジ用に確保される穴を有し、また縦のキール・フレームのネジ４により、地面に対して縦の壁面に縦に釘付けされる。また、壁面上の縦のキール・フレーム１および縦のキール・フレーム１は、専用の取付固定具を使用することにより平行に正確に取り付けられる。
【００１９】
より多くの縦のキール・フレーム１が配置されてもよく、１つの溝タイプの縦のキール・フレーム取付溝１１が、補強のために縦のキール・フレームに設けられる。
図４に示すように、横断方向骨格ナット６は矩形にあり、２つの対向する湾曲した角部６１を有する。横断方向骨格ナット６は、縦のキール・フレーム取付溝１１に配置され、横断方向骨格２は、続いて縦のキール・フレーム１の外側に配置される。図２および図３に示すように、横断方向骨格２は、凹状の二重溝構造体を有し、すなわち、横断方向骨格２は、外方に開放される２つの平行な横断方向骨格取付溝２１を有する。横断方向骨格ネジ５は、横断方向骨格取付溝２１の底部から横断し、これにより横断方向骨格ナット６でネジ留めされる。横断方向骨格ネジ５は、横断方向骨格ナット６を回転駆動するべく回転し、最終的に横断方向骨格ナット６の湾曲した角部６１を、縦のキール・フレーム取付溝１１の側壁に対して堅固に掛ける。これにより、横断方向骨格２は、横断方向骨格ネジ５から横断方向骨格ナット６へのねじ込む圧力によって、縦のキール・フレーム取付溝１１に対してより大きな摩擦力およびより大きな支持力を生じさせ、これにより、横断方向骨格２は、縦のキール・フレーム１上に水平方向に掛けられる。ねじ込みの前に、横断方向骨格ナット６は、縦のキール・フレーム取付溝１１において上下に縦に移動し、これにより、異なる寸法の石の材料に適合する。
【００２０】
石要素３は、石３１、ガラス・マグネシウム複合材料バック層３２、および連結アセンブリ３３から構成される。高い質量および高コストを備える石３１、並びに低密度および高強度を備える高ファイバのガラス・マグネシウム複合材料バック層３２は、接着剤を使用することにより複合材料に糊着される。複合材料は、標準化された寸法およびｘ−２の側部の長さを備える矩形である。他の仕様の長さおよび幅はすべてｎ×ｘ−２であり、ｎは整数である。２つのシュート３２１は、ガラス・マグネシウム複合材料バック層３２において加工処理され、２つのシュート３２１はスプレー溝を形成し、連結アセンブリ３３の２つの取付板３３２はシュート３２１にきつく挿入され、これにより連結アセンブリ３３は、複合材料バック層３２上に固定される。連結アセンブリの他端の外側壁部は、摩擦面として機能する横断方向ストリップ状ネジ山構造体３３１を有する。
【００２１】
連結アセンブリ３３は複数の形態を有する。
連結アセンブリ３３の第１の例は、図５−１および図５−２に示される通りである。
連結アセンブリ３３の２つの取付板３３２と、横断方向ストリップ状ネジ山形態構造体３３１を有する連結アセンブリ３３の一端との標準的な固定形態は、一体的に形成される外形である。従って、連結アセンブリ３３のそのような例は調整不能である。
【００２２】
連結アセンブリ３３の第２の例は、図６−１および図６−２に示される通りである。
２つの取付板３３２を有する連結アセンブリ３３の一部に配置される挾持ストリップ３３２１の固定微調整形態は、横断方向ストリップ状ネジ山形態構造体３３１を有する連結アセンブリ３３の端部に配置される挾持溝３３１１に摺動自在に埋め込まれる。これにより、石要素３の取付位置の微調整は、挾持溝３３１１において挾持ストリップ３３２１を微調整相対摺動させることにより、実施される。
【００２３】
連結アセンブリ３３の第３の例は、図７−１、図７−２、および図７−３に示される通りである。
連結アセンブリ３３の微調整操舵する形態は、２つの取付板３３２を有する一部、および横断方向ストリップ状ネジ山形態構造体３３１を有する端部を有し、この部分および端部は、リベットあるいはボルト３３０によって連結される。これにより、２つの取付板３３２を有する連結アセンブリ３３の部分、および横断方向ストリップ状ネジ山形態構造体３３１を有する連結アセンブリ３３の端部は、相対回転し、これにより、石要素のより柔軟でより多様な取付形態を実施する。
【００２４】
連結アセンブリ３３の第４の例は、図８−１、図８−２、および図８−３に示される通りである。
図８−１に示すように、連結アセンブリ３３の固定形態は、中空フレーム３３３（あるいは中実のフレーム）を有する一端、および横断方向ストリップ状ネジ山形態構造体３３１を有する他端を有し、このような連結アセンブリ３３は一体的に形成される外形である。従って、連結アセンブリ３３は調整不能である。中空フレーム３３３の両側は２つの取付板３３２である。また、２つの取付板と現在のスプレー取付板との間の差異は、２つの取付板３３２の外側表面が平行な取付面であることにある。
【００２５】
２つの取付板３３２の頂端部は中空フレーム３３３を形成するために接続される。この構造と整合するように、長尺状をなす凹部状の取付溝が、複合材料バック層３２に設けられ、取付溝の２つの側壁は、中空フレーム３３３がきつく挿入される２つの平行な取付面である。
【００２６】
これにより、連結アセンブリ３３は複合材料バック層３２に固定される。これら２つの拘束力を高めるために、添加物のセメントなどが、これら２つの接合面に加えられる。
複合材料バック層で摩擦力を高めるために、またより安定した連結のために、横断方向ストリップ状ネジ山形態構造体が取付板３３２の表面に設けられる。また、横断方向ストリップ状ネジ山形態構造体は、複合材料バック層にも対応して設けられる。
【００２７】
この構造は、１つの長尺状をなす凹部を複合材料バック層３２に配置する必要があるのみであるため、加工処理および取り付けにおいて、単独の溝を２つ設ける形態と比較してより単純である。
【００２８】
図８−２に示すように、連結アセンブリ３３は、中空フレーム３３３を有する一端と、横断方向ストリップ状ネジ山形態構造体３３１を有する他端とを有し、一端と他端とは一体的である。また、横断方向ストリップ状ネジ山形態構造体３３１を有する他端は中実であり、これにより、連結アセンブリ３３はより安定し、高い強度を有する。
【００２９】
別例において、これに代えて、２つの取付板３３２の頂端部は接続されず、これにより、２つの平行な単独の取付溝が、２つの平行な取付板３３２を挿入するために、複合材料バック層３２に設けられる。
【００３０】
更なる実施形態において、図８−３に示すように、中空フレーム３３３（あるいは中実な構造体）を有する一端、および横断方向ストリップ状ネジ山形態構造体３３１を有する他端は、２つの相対的に独立した部分が組み合わされるように構成される、連結アセンブリの第２の例と同様に構成され、あるいは第３の例と同様に構成される。これにより、石要素３の取付位置の微調整は、摺動または回転により実施される。
【００３１】
図１、図２、および図３に示すように、横断方向骨格取付溝３３１の内側壁部は、摩擦面として機能する横断方向ストリップ状ネジ山形態構造体２１１を有し、連結アセンブリ３３は最小の締まりばめの方法によって横断方向骨格取付溝２１に挿入される。横断方向ストリップ状ネジ山形態構造体２１１および横断方向ストリップ状ネジ山形態構造体３３１は、互いに堅固にもたれあうとともに互いに係合する。これにより、石要素３は、横断方向骨格２に固定して連結されるとともに横断方向骨格２に掛けられる。
【００３２】
実施形態は、ボルト、ネジ、および摩擦力によって組み合わせられる、縦の金属製キール・フレーム、横断方向金属骨格、および石・ガラス・マグネシウム複合材料を含む３つのブロックから構成される。この構造体によれば、石は、屋内の壁または屋外の壁に任意に固定され、ガラスおよびマグネシウムを備える石の成分により、石の重量は２．５倍軽量化される。これにより、構築壁体の負荷支持が軽量化され、より高い耐火性を備え、より高い防湿性を備え、より高い安全性を備え、より安定するのみならず、石の利用率を効果的に高めることができる。摩擦力の原理が、本発明において石の乾燥壁掛けに使用される。これは、セメントモルタル、石の接着剤を使用することなく、単純、便利、かつ迅速に取り付けられ、これにより、石への二次的な汚染がなくなり、工事サービスの労働の費用が低減される。取り外し可能な概念により、石は、繰り返し利用することができ、これにより資源のリサイクルが実現され、より環境に優しく、より経済的である。本発明は、新規で、安全で、効果的で、低コストで、緑の取り付けを実施し、環境に優しく、経済的であり、様々な屋内および屋外の装飾に好適であり、広く使用される。
【００３３】
本発明による建築装飾パネルは花崗岩、大理石、人造石、あるいは他の石の製品である。
別例において、建築装飾パネル・コンポーネントは、他の材料と交換可能であり、他の材料は、本発明の均等な技術的解決法でもある。例えば、石要素における石は他の材料と取り替えられてもよい。あるいは、石およびガラス・マグネシウム複合材料バック層の複合体が、他の材料と完全に取り替えられてもよい。また、ここで他の材料は、木、セラミック・タイル、ガラス、ガラス製品、金属および非金属防火建築材料、並びに金属および非金属建築材料などを示す。これらは、建物壁面の外側ファサード、内側ファサード、天井、および床などの表面に取り付けられ、板状構造体または形状を有する構造体を有する。建築装飾パネルはスラブ形状、あるいは隆起部や凹部を有する形状のいずれかにある。異なる材料のパネルが、同じ壁面に柔軟に取り付けられる。
【００３４】
別例において、連結アセンブリも、強度のような適切な特性を有するとともに価格も適切である他の材料と取り替えられてもよい。他の材料は、例えば所定の複合材料、プラスチック部品であり、これらは、更に本発明の均等な技術的解決法である。
【図１】
0006669599.tif 000002
【図２】
0006669599.tif 000003
【図３】
0006669599.tif 000004
【図４】
0006669599.tif 000005
【図５−１】
0006669599.tif 000006
【図５−２】
0006669599.tif 000007
【図６−１】
0006669599.tif 000008
【図６−２】
0006669599.tif 000009
【図７−１】
0006669599.tif 000010
【図７−２】
0006669599.tif 000011
【図７−３】
0006669599.tif 000012
【図８−１】
0006669599.tif 000013
【図８−２】
0006669599.tif 000014
【図８−３】
0006669599.tif 000015